(57)【要約】  本発明は、平坦なストリップ基板が、粘着前面、非粘着背面および４つの側面を有する、除去する際の痛みが軽減された接着包帯に関する。粘着前面および非粘着背面の領域は共に、４つの側面のものより大きい。特徴は、接着されない領域のストリップが、両側の対向する平行な長手方向の側面の間に配置され、接着される領域の２つのストリップが、粘着前面上で、接着されない領域の両側の長手方向の側面上にそれぞれ平行に並置され、接着剤のない一組のくぼみが、ストリップ基板の接着される領域に隣接せず、両側の横方向の側面と同一平面で接着されない領域の両端部面に形成されることである。ストリップ基板の粘着前面が、創傷付近の皮膚表皮に貼り付きこれを押圧する際、中間の接着されない領域は、皮膚表皮Ｓに接触し貼り付くことがない。したがって、包帯を変えるときに接着包帯が引き剥がされる際、このような剥がす作用による痛みの感覚の副作用なしに、我々の指は、皮膚表皮からストリップ基板を剥がす目的を達成するために持ち上げるための把持支点としてストリップ基板上のいずれかの接着剤のないくぼみを掴むことができる。【選択図】図１０
2009523492.tif 000002
【特許請求の範囲】
【請求項１】
除去する際の痛みが軽減された接着包帯であって、平坦なストリップ基板が、粘着前面、非粘着背面および４つの側面を有し、前記粘着前面および非粘着背面の領域が４つの側面より大きく、接着されない領域のストリップが両側の対向する側面の間に配置され、接着される領域の２つのストリップが、前記粘着前面上で前記接着されない領域の両側にそれぞれ並置され、接着剤のない一組のくぼみが、前記ストリップ基板の前記接着される領域に隣接せず両側の側面と同一平面で、前記接着されない領域の両端側に形成される接着包帯。
【請求項２】
さらに前記ストリップ基板を、粘着前面、非粘着背面、２つの短い端部側面および２つの長手方向の長い側面を備えるロールタイプに巻き取られるように連続する平坦なストリップ形状に形成することができ、接着されない領域の連続するストリップが、両側の長手方向の長い側面の間に配置され、接着される領域の２つの連続するストリップが、粘着前面上で接着されない領域の両方の長手方向側にそれぞれ並置され、これにより一組の接着剤のないくぼみが、前記接着されない領域の両端側に形成され、前記ストリップ基板の両側の短い端部側面と同一平面にある、請求項１に記載の除去する際の痛みが軽減された接着包帯。
【請求項３】
前記ストリップ基板がさらに、連続する平坦なストリップ形状に配置され、粘着前面、非粘着背面、２つの短い端部面および２つの長手方向の長い側面を備えるロールタイプに巻き取られ、前記粘着前面および非粘着背面の領域が前記２つの短い端部面および２つの長手方向の長い側面より大きく、両端部が一組の長手方向の長い側面と同一平面にある複数の接着剤のない領域が、均等な分離間隔でストリップ基板の長さに沿って横向きに配置され、その結果いくつかの接着されない領域が前記ストリップ基板の前記粘着前面上に別個に配置される、請求項１に記載の除去する際の痛みが軽減された接着包帯。
【請求項４】
並置されたより細い接着されない領域の別の一組のストリップが、前記ストリップ基板の長手方向の長い側面の前記組に当接し、前記ストリップ基板の粘着前面上の接着される領域のストリップの組に隣接して内側に向けて配置される、請求項１、２および３のいずれかに記載の除去する際の痛みが軽減された接着包帯。
【請求項５】
より細い接着されない領域の別のストリップが、前記ストリップ基板の平行な長手方向の長い側面の前記組のいずれかに当接し、前記ストリップ基板の粘着前面上の接着される領域のストリップに隣接して内側に向けて配置される、請求項１、２および３のいずれかに記載の除去する際の痛みが軽減された接着包帯。
【請求項６】
前記ストリップ基板がさらに、半透明または透明の平坦な形状に配置され、前記ストリップ基板上の粘着前面上の接着される領域のストリップの組が、色付き接着剤を塗布される、請求項１、２、３、４および５のいずれかに記載の除去する際の痛みが軽減された接着包帯。
【請求項７】
前記ストリップ基板がナノメータ物質で作成される、請求項１、２、３、４および５のいずれかに記載の除去する際の痛みが軽減された接着包帯。
【請求項８】
絆創膏基板の粘着前面上で一組の側面と中央包帯ガーゼ領域の間にそれぞれ配置される平行に並置された接着されない領域の一組のストリップを備え、一組の接着剤のないくぼみが、前記中央包帯ガーゼ領域に隣接せず包帯基板の両側の前記側面と同一平面で、前記接着されない領域の両端部上に形成される、除去する際の痛みが軽減された大きなサイズの絆創膏。
【請求項９】
平行に並置された接着されない領域の２組のストリップが、絆創膏基板の粘着前面上で２組の側面と中央包帯ガーゼ領域の間にそれぞれ配置され、２組の接着剤のないくぼみが、前記中央包帯ガーゼ領域に隣接せず包帯基板の４つの側部と同一平面で、前記接着されない領域の両端部に形成される、請求項８に記載の除去する際の痛みが軽減された大きなサイズの絆創膏。
【請求項１０】
包帯基板が、粘着前面、非粘着背面および４つの側面を有し、前記粘着前面および非粘着背面の領域が共に４つの側面のものより大きく、その特徴が、接着されない領域のストリップが前記粘着前面上の一組の対向する前記側面の中央に配置され、平行に並置された接着される領域の一組のストリップが、前記接着されない領域の両側にそれぞれ配置され、一組の接着剤のないくぼみが、前記接着される領域に隣接せず包帯基板の側面と同一平面で、前記接着されない領域の両端部に形成される、除去する際の痛みが軽減されたいびき防止粘着包帯。
【請求項１１】
前記包帯基板が、粘着前面、非粘着背面、２つの横方向の短い端部面および２つの平行な長手方向の長い側面を備えるロールタイプに巻き取られるように平坦なストリップ形状であり、前記粘着前面および非粘着背面の領域が共に、２つの横方向の短い端部面および２つの平行な長手方向の長い側面のものより大きく、その特徴が、接着されない領域の連続するストリップが、両側の対向する平行な長手方向の長い側面の間に配置され、接着される領域の２つの連続するストリップが、前記粘着前面上で前記接着されない領域の両方の長手方向側にそれぞれ平行に並置され、一組の接着剤のないくぼみが、前記包帯基板の両側の横方向の短い端部面と同一平面で、前記接着されない領域の両側の横方向の端部面上に形成される、請求項１０に記載の除去する際の痛みが軽減されたいびき防止粘着包帯。
【請求項１２】
前記包帯基板が、粘着前面、非粘着背面、２つの横方向の短い端部面および２つの平行な長手方向の長い側面を備えるロールタイプに巻き取られるように平坦なストリップ形状であり、前記粘着前面および非粘着背面の領域が共に、２つの横方向の短い端部面および２つの平行な長手方向の長い側面のものより大きく、その特徴が、両端部が平行な長手方向の長い側面の組と同一平面であるいくつかの接着される領域が、均等な分離間隔で包帯基板の長さに沿って横向きに配置され、その結果、いくつかの接着されない領域が前記ストリップ包帯基板の前記粘着前面上に別個に配置される、請求項１０に記載の除去する際の痛みが軽減されたいびき防止粘着包帯。
【請求項１３】
平行に並置されたより薄い接着されない領域の一組の補助ストリップが、前記包帯基板の平行な長手方向の側面の前記組に当接し、包帯基板の粘着前面上の接着される領域のストリップの組に隣接して内側に配置される、請求項１０、１１および１２のいずれかに記載の除去する際の痛みが軽減されたいびき防止粘着包帯。
【請求項１４】
より細い接着されない領域の補助ストリップが、前記包帯基板の平行な側面の前記組のいずれかに当接し、包帯基板の粘着前面上の接着される領域のストリップに隣接して内側に配置される、請求項１０、１１および１２のいずれかに記載の除去する際の痛みが軽減されたいびき防止粘着包帯。
【請求項１５】
前記包帯基板がさらに、半透明または透明で平坦な形状に配置され、前記包帯基板の粘着前面上の接着される領域のストリップの組が色付き接着剤を塗布される、請求項１０、１１、１２および１３のいずれかに記載の除去する際の痛みが軽減されたいびき防止粘着包帯。
【請求項１６】
前記包帯基板がナノメータ物質で作成される、請求項１０、１１、１２、１３および１４のいずれかに記載の除去する際の痛みが軽減されたいびき防止粘着包帯。
【請求項１７】
ストリップ基板が、粘着前面、非粘着背面、２つの横方向の短い端部面および２つの平行な長手方向の長い側面を備えるロールタイプに巻き取られるように連続する平坦なストリップ形状であり、前記粘着前面および非粘着背面の領域が共に、４つの短い端部面および長い側面のものより大きく、その特徴が、接着されない領域の連続するストリップが、両側の対向する平行な長手方向の長い側面の間に配置され、接着される領域の２つの連続するストリップが、粘着前面上で前記接着されない領域の両側の長手方向側にそれぞれ平行に並置され、一組の接着剤のないくぼみが、前記短い端部面と同一平面で、両側の横方向のストリップ基板上に形成される、物品に使用される簡素で容易に剥がせる接着テープ。
【請求項１８】
前記ストリップ基板が、粘着前面、非粘着背面、２つの横方向の短い端部面および２つの平行な長手方向の長い側面を備えるロールタイプに巻き取られるように平坦なストリップ形状であり、前記粘着前面および非粘着背面の領域が共に、２つの横方向の短い端部面および２つの平行な長手方向の長い側面のものより大きく、その特徴が、両端部が平行な長手方向の長い側面の組と同一平面であるいくつかの接着される領域が、均等な分離間隔でストリップ基板の長さに沿って横向きに配置され、その結果、いくつかの接着されない領域が前記ストリップ基板の前記粘着前面上に別個に配置される、請求項１７に記載の物品に使用される簡素で容易に剥がせる接着テープ。
【請求項１９】
平行に並置されたより細い接着されない領域の一組の補助ストリップが、前記ストリップ基板の平行な側面の前記組に当接し、ストリップ基板の粘着前面上の接着される領域のストリップの組に隣接して内側に配置される、請求項１７または１８に記載の物品に使用される簡素で容易に剥がせる接着テープ。
【請求項２０】
より細い接着されない領域の補助ストリップが、前記ストリップ基板の平行な側面の前記組に当接し、ストリップ基板の粘着前面上の接着される領域のストリップに隣接して内側に配置される、請求項１７または１８に記載の物品に使用される簡素で容易に剥がせる接着テープ。
【請求項２１】
前記ストリップ基板がさらに、半透明または透明で平坦な形状に配置され、前記ストリップ基板の粘着前面上の接着される領域のストリップの組が色付き接着剤を塗布される、請求項１７、１８、１９および２０のいずれかに記載の物品に使用される簡素で容易に剥がせる接着テープ。
【請求項２２】
前記ストリップ基板が、粘着前面、非粘着背面、２つの横方向の短い端部面および２つの平行な長手方向の長い側面を備えるロールタイプに巻き取られるように平坦なストリップ形状であり、前記粘着前面および非粘着背面の領域が共に、２つの横方向の短い端部面および２つの平行な長手方向の長い側面のものより大きく、その特徴が、接着される領域の連続するストリップが、両側の対向する平行な長手方向の長い側面の間に配置され、接着されない領域の２つの連続するストリップが、粘着前面上で、前記接着される領域の両側の長手方向の側面上に平行に並置され、粘着前面上で前記２つの長い側面とそれぞれ同一平面になる、請求項１７に記載の物品に使用される簡素で容易に剥がせる接着テープ。
【請求項２３】
接着される領域の連続するストリップが、両側の対向する平行な長手方向の長い側面の間に配置され、接着されない領域の１つの連続するストリップが、前記接着される領域の両側の長手方向側のいずれかに配置され、粘着前面上で前記長い側面と同一平面になる、請求項２２に記載の物品に使用される簡素で容易に剥がせる接着テープ
【発明の詳細な説明】
【技術分野】
【０００１】
本発明は、いびき防止用途の粘着ストリップも含めた、一般的な家庭看護および医療処置用の接着包帯および絆創膏、ならびに人々の生活および産業において、製品を包装または密封する種々の接着テープに関し、特に、剥ぎ取る動作での簡素で迅速な複数の改善された効果に重点を置き、製品製造コストを削減し、環境保護責任を推進し、皮膚の痛みの副作用を取り除き、これにより全体の統合的なビジネス競合力を高める。
【背景技術】
【０００２】
擦りむきまたは切り傷の日常の軽度の創傷および様々な痛みまたは鈍痛の軽微な兆候から、手術での多様な深刻なトラウマまで及ぶ我々の生活に密接に関連するあらゆる異なる種類の接着包帯および絆創膏が一般的に知られており、これらは全て、不測で臨時の治療手段として、種々の適切な接着包帯および絆創膏に完全に依拠することを必要とする。さらに、生活の物品または産業上の製品の包装にも接着テープが使用される。日常生活において密封または包装する場合にも、接着テープが使用される。
【０００３】
上記の種々の分野で使用される全ての接着テープの種類は、かなり多い。看護医療等級の種々の接着包帯に関して、それらは、www.webhospital.org.tw，www.3m.com, www.allfit.com.cnなどのいくつかのウェブサイトに詳細に開示される。しかしながら、人の皮膚の表皮で使用される接着包帯に関する深刻な欠点は、皮膚に貼り付く期間を過ぎた後、剥がすのが困難であることである。つまり、まず接着包帯の微小な縁部または角を１本の指で持ち上げ、次に２本の指で接着包帯全体を皮膚から剥がす。したがって、このように接着包帯の微小な縁部または角を持ち上げる処理作業をいかに実現するかが、大変重要かつ必然的となる。従来の看護および医療処置用接着包帯は、接着包帯のこのような微小な縁部または角を容易に持ち上げるいかなる細工も持たないため、医師または看護婦は、彼または彼女独自の方法によってこのような作業に取り組むことを強いられる。勤務した全ての病院で有能な医師になるためインターンとして、実際の訓練からの本発明の発明者による観察は、他の医師または看護婦によって採用された最も一般的な方法は、ボールペンなどの先の丸い平坦な物体で、接着包帯の微小な縁部または角を持ち上げることである。この箇所に適した先の丸い平坦な物体を持たない場合、場合によっては何度も、単一の指を使用して、接着包帯の微小な縁部または角をつまんで持ち上げることを余儀なくされ、患者は皮膚の痛みを被り、伝えることを自制することすらある。したがって、これは、包帯を変える時間を引き伸ばすだけでなく、患者に対する余分な苦しみの頻度を増加させる。看護および医療処置用接着包帯を変える際の指でつまむまたは持ち上げる方法が、擦り傷または切り傷の日常の軽度の創傷について家庭内で適用される場合には、いかなる有害な作用もなく、上記に記載した皮膚に対する余分な痛みを引き起こすのみである。しかしながら、タイミング効果および無菌の科学技術作業を要する病院内の多数の患者に関して、指でつまむまたは持ち上げる方法は、負傷した患者の治療時間を引き伸ばす、または、感染の可能性を増大させる恐れがある。要因を調査し精査すると、既存の従来の看護および医療処置用接着包帯に対する「簡便な引き剥がし細工」は存在せず、残念ながら、今日までより良好な解決法は考え出されていない。
【０００４】
さらに、米国特許番号第６０８９２３２号および米国特許出願公開番号第ＵＳ２００４/００８９３１０号に開示されるいびき防止の粘着ストリップが図１から５に示される。粘着ストリップ１０の粘着前面は、上唇Ｌ１および下唇Ｌ２を覆う口領域の上にそれを貼り付けるために（図１、２および４、ならびに図４のａ図に示される）、接着剤またはガムＧの上に全体が広げられる。上唇Ｌ１および下唇Ｌ２は口の周りの皮膚よりも脆弱で敏感であるため、皮膚の適合性が低い人の場合、アレルギーまたは適合不可能な危険を伴う場合がある。さらに、眠った後いびき防止粘着ストリップを剥がす処置、上記の剥がす作用が簡単でないという欠点、および上唇Ｌ１および下唇Ｌ２から離れるように、接着された粘着ストリップを引っ張ることによる痛みの感覚がさらに生じる（図３、および図３のｃ図、ならびに図５および図５のｃ図、ｄ図に示される）。いまだに前記いびき防止粘着ストリップが使用するために大量に普及されないのは、不十分で非包括的な設計が主な理由である。
【０００５】
台湾実用新案公開番号第４８５９６３号に開示される生活および産業上の物品で使用される密封接着テープの場合、図６に示すテープ引き剥がし構造がある。接着テープ２０をロール製品に巻き取った後（図７に示される）、テープ引き剥がし構造が複数の薄片２１の分離した配置を有するように、非接着性の抗折れ素材で作成された矩形の薄片２１の主要素が、適切な分離ピッチで接着テープの接着背面２２の上に配置される。接着テープを、粘着式に密封された箱本体１から引き剥がす必要があるときの作用が、図８のＡ図に示される。まず任意の薄片２１の底部側から、箱本体１から離れるように指で薄片２１をつまみあげ（図８のＢ図に示される）、次に接着テープ２０を剥がし、切断するためにいかなるナイフの使用も必要とせずに密封材を除去する目的を達成する。上記の記述から、テープ引き剥がし構造は、接着テープ２０を引き剥がす動作を改善するのに有用であるが、以下に記載するように不完全ないくつかの欠点が存在する。
【特許文献１】米国特許番号第６０８９２３２号
【特許文献２】米国特許出願公開番号第ＵＳ２００４/００８９３１０号
【特許文献３】台湾実用新案公開番号第４８５９６３号
【０００６】
１．図８のＡ図に示されるように、接着テープ２０の端部近傍は、将来の剥がす動作を簡便にする目的で、箱本体１を密封するためにそれを付加する際、引き剥がすための薄片２１を残したままにしなければならない。さもなければ、従来の接着テープで生じるのと同様に、助けるための切断工具が導入される。消費者にとっては、簡素な改善を楽しむ代わりに、それを実用可能にするのに、使用する際の事前の再教育が必要であり、したがってこれは、この製品を使用するために市場で販売できなくさせる理由となる。
【０００７】
２．大量生産の既存の全ての接着テープに関して、常にロールタイプが、事前設定された規格およびコスト調整を伴う包装および運搬物の次の工程のための最終製品であり、接着テープ２０に固定された薄片２１が、ロールタイプの最終製品に巻き取られることにより、その容積および総重量が従来の接着テープのものより大きくなる。したがって、接着テープは、包装および運搬物の既存の後工程に適さないだけでなく、ビジネス競合力を低下させる余剰のコストも増加させる。
【０００８】
３．製造工程に関して、薄片２１に関連する余分な物質のために全自動の製造装置および施設を再調整する必要があり、その結果、材料全体および製造コストが、これにより増大する。生活および産業で使用される接着テープ全体に関して、蓄積される総コストが非常に増加するだけでなく、環境保護の再利用の点においても物品が形成される。現実には、これは、利益が得られる前にまず損害を被ることを意味する。
【０００９】
接着テープ利用の多様な分野での上記に記載の全ての欠点を鑑みて、上記の全ての欠点を排除するために、本発明の発明者は、より良好な接着テープおよび接着包帯を開発し考案するために、積極的に研究および調査する。
【発明の開示】
【００１０】
〔発明の概要〕
本発明は、平坦なストリップ基板が、粘着前面上に配置された接着されない領域、および接着されない領域の両端部側に形成される一組の接着剤のないくぼみを有する、除去する際の痛みが軽減された平坦な接着包帯を考案する。接着剤のないくぼみによって、我々の指は、皮膚の表皮から接着包帯を迅速に剥がす目的を達成するために持ち上げるための開始把持支点を与えられ、接着包帯を簡素で容易に引き剥せることに加えて、完全に引き剥がし作用の時間を短縮する。これは本発明の主要な目的である。
【００１１】
本発明の第２の目的は、除去する際の痛みが軽減された平坦な接着包帯を提供することである。ストリップ基板の粘着前面上に接着されない領域があることにより、人の皮膚表皮に密接に貼り付く粘着前面の接触領域が縮小される。したがって、剥がす動作の痛みの感覚を取り除くことができるだけでなく、皮膚接触によって引き起こされるアレルギーのリスクも低下させることができる。
【００１２】
本発明の別の目的は、除去する際の痛みが軽減された平坦な接着包帯を提供することである。ストリップ基板の粘着前面上に接着されない領域があることにより、創傷付近の皮膚表皮にそれが貼り付き押圧する際、中間の接着されない領域は、皮膚表皮に接触し貼り付くことがなく、その結果、皮膚表皮上の接触領域を縮小することができるだけでなく、その場所を覆う治癒の肉芽に対するいずれの刺激も少なくすることができる。したがって、包帯に対する接触感染の障害、あるいは接着剤成分による創傷または肉芽組織への刺激および汚染の障害のいずれも生じることがなく、その結果、これは創傷に対する治癒の促進における利点に貢献する。
【００１３】
本発明の別の目的は、いびき防止粘着包帯に適用することができる、除去する際の痛みが軽減された平坦な接着包帯を提供することである。包帯基板の粘着前面上に、接着されない領域の１つのストリップおよび接着される領域の２つのストリップがあることにより、粘着包帯は、上唇と下唇の周囲の皮膚表皮上に密接に貼り付くことができ、その結果、閉じられた上唇と下唇が、接着剤による粘着および刺激によって生じる不快感を感じることなく、接着されない領域の中に収容される。さらに、剥がすときの痛みの感覚を取り除くことに加えて、簡素に簡単に接着包帯を迅速に引き剥がせる両方の効果を有する。
【００１４】
本発明の更なる目的は、いびき防止粘着包帯にも適用される、除去する際の痛みが軽減された平坦な接着包帯を提供することである。包帯基板は、さらに、半透明または透明な平坦な形状に配置され、包帯基板の粘着前面上の接着される領域のストリップの組に色付き接着剤が塗布され、その結果、接着剤の色の種類および識別によって、誘導される配置の引き剥がし効率および管理効果を増大させることができる。
【００１５】
接着される領域および接着されない領域の細工を採用して、本発明はさらに、物品で使用される簡素で容易に剥がせる接着テープを考案する。平坦なストリップ基板は、粘着前面、非粘着背面、および４つの側面を有する。粘着前面および非粘着背面の領域は、４つの側面のものより大きい。その特徴は、接着されない領域のストリップが、粘着前面の中央に配置され、接着される領域の２つのストリップが、粘着前面上で接着されない領域の両側の長手方向側にそれぞれ平行に並置され、接着剤のない一組のくぼみが、ストリップ基板の接着される領域に近接しないが、横方向の両端部面と同一平面で、接着されない領域の両端部側に形成され、ストリップ基板が、物品または包装品の中に密接に貼り付きこれを密封するために付加される際の作用方法は、従来の接着テープのものと同様であることである。接着テープが引き剥がされる場合、接着テープ全体を剥がすまたは包装を解く目的を達成するために、持ち上げるための把持支点として、ストリップ基板上の横方向の短い端部側のいずれかの接着剤のないくぼみに指を位置合わせするだけである。
【００１６】
付加的に、本発明はさらに物品で使用される簡素で容易に剥がせる接着テープを提供し、平行に並置されたより薄い接着されない領域の一組の補助ストリップが、ストリップ基板の平行な長手方向の長い側面の組に当接し、ストリップ基板の粘着前面上の接着される領域のストリップの組に隣接して内側に配置され、その結果、一組の平行な長手方向の長い側面が、ストリップ基板がロールタイプに巻かれた後、埃に接触しこれを蓄積することによって汚れることがなくなる。
【００１７】
また、本発明はさらに物品で使用される簡素で容易に剥がせる接着テープを提供する。接着されない領域が、上に塗布される接着剤を有さずにストリップ基板上に配置されることにより、ロールタイプの接着テープ最終製品の総重量は、従来の接着テープと比較して実質的に減少する。したがって、これは、運搬する労力が節約され、輸送する際のコスト削減につながるより優れたビジネス競合力を有する。
【００１８】
さらに、本発明は物品で使用される簡素で容易に剥がせる接着テープを提供する。接着されない領域が上に塗布される接着剤を有さずに、ストリップ基板上に配置されることにより、接着剤消費の全量が累積的に節約されるだけでなく、巻き取る工程における全エネルギー消費が減少する。したがって、環境保護上の再利用およびエネルギーの両方の節約利益が生み出される。
【００１９】
〔好ましい実施形態の詳細な説明〕
図９を参照すると、本発明の第１の好ましい実施形態により除去する際の痛みが軽減された接着包帯は、粘着前面３１、非粘着背面３２および４つの側面３３を備える平坦なストリップ基板３０である。粘着前面３１および非粘着背面３２の領域は、４つの側面３３より大きく、接着されない領域４０は対向する両側の側面３３の間に配置され、接着される領域５０の２つのストリップは、粘着前面３１上で接着されない領域４０の両側にそれぞれ並置される。したがって、一組の接着剤のないくぼみ４１が、ストリップ基板３０の接着される領域５０に隣接せず、両側の側面３３と同一平面で、接着されない領域４０の両端側に形成される。さらに、ストリップ基板３０は、用途の必要要件によって、医療美容的接着テープまたは外科的接着テープのいずれかであってよい。
【００２０】
図１０から１３を参照すると、本発明のストリップ基板３０の粘着前面３１が、創傷の周囲の皮膚表皮Ｓに貼り付きこれを押圧する際、中間の接着されない領域４０は、図１０および１１に示すように、皮膚表皮Ｓに接触しこれに貼り付くことがなく、その結果、皮膚表皮Ｓ上の接触領域を縮小することができるだけでなく、その場所を覆う治癒の肉芽に対するいかなる刺激も少なくすることができる。したがって、包帯に対する接触感染の障害も、接着剤成分による創傷または肉芽組織への刺激および汚染の障害も生じることがなく、その結果、創傷に対する治癒の促進における利点に貢献する。反対に、従来の医療接着包帯ｔの上全体に接着剤を塗布することによる粘着前面は、図１２および１３に示されるように、皮膚表皮Ｓの創傷上に完全に接触しこれに貼り付く。したがって、その場所を覆う治癒の肉芽に対する刺激だけでなく、包帯に対する接触感染が生じ、その結果創傷の治癒経過時間が長引く。
【００２１】
図１４から１７を参照すると、人の肘または膝の関節で創傷に付加される本発明による固定式ガーゼ（図１４のａおよびｂ図、ならびに図１６のａおよびｂ図に示される）を密接に貼り付ける方法は、従来の医療接着包帯ｔ（図１５のａおよびｂ図ならびに図１７のａおよびｂ図に示される）によるものと同様である。したがって、密接に貼り付ける方法における習慣は変わらない。
【００２２】
図１８から２１を参照すると、包帯を変える際に接着包帯が引き剥がされる場合、このような剥がす動作による痛みを感じることなく、皮膚表皮Ｓからストリップ基板３０を剥がす目的を達成するために、持ち上げるための把持支点として（図１８および２０に示される）ストリップ基板３０上の横方向の両方の端部側面３３のいずれかの接着剤のないくぼみ４１と指を位置合わせするだけである。さらに言えば、これは、接着包帯を簡素で容易に引き剥がすことに加えて、完全に引き剥がす作用時間を短縮する。反対に、従来の医療接着包帯ｔを引き剥がす場合、まず医療用接着包帯ｔの微小な縁部または角が、１本の指で持ち上げられ、次に２本の指で、このように持ち上げられた縁部または角を、医療接着包帯ｔ全体を皮膚から剥がすために持ち上げるための把持支点として掴む。（図１９および２１に示される）。接着糊が皮膚表皮Ｓに完全に接触し貼り付いているため、このような剥がす処置による痛みの感覚は、重大である。
【００２３】
図２２を参照すると、本発明の第１の好ましい実施形態におけるストリップ基板３０はさらに、粘着前面３１、非粘着背面３２、２つの短い端部側面３３および２つの長手方向の長い側面３４を備えるロールタイプに巻き取られるための連続する平坦なストリップに形成することができる。接着されない領域４０の連続するストリップは、両側の長手方向の長い側面３４の間に配置され、接着される領域５０の２つの連続するストリップは、粘着前面３１上で接着されない領域４０の両方の長手方向側にそれぞれ並置され、これにより一組の接着剤のないくぼみ４１が、接着されない領域４０の両端側に形成され、ストリップ基板３０の両側の短い端部側面３３と同一平面になる（図９および２２に示される）。
【００２４】
本発明の第２の好ましい実施形態である図２３を参照すると、並置されたより細い接着されない領域４２の一組の別のストリップが、ストリップ基板３０の長手方向の長い側面３４の組に当接し、ストリップ基板３０の粘着前面３１上の接着される領域５０のストリップの組に隣接して内側に向けて配置され、その結果、長手方向の長い側面３４の組は、ストリップ基板３０がロールタイプに巻き取られた後、埃に接触しこれを堆積することによって汚れなくなる。
【００２５】
本発明の第３の好ましい実施形態である図２４を参照すると、ストリップ基板６０はさらに、半透明または透明の平坦な形状に配置され、ストリップ基板６０上の粘着前面６１上の接着される領域５０のストリップの組は、色付き接着剤を塗布され、その結果誘発される構成の引き剥がし効率および管理効果を、接着剤の色の種類および識別によって増大させることができる。
【００２６】
本発明の第４の好ましい実施形態である図２５を参照すると、ストリップ基板７０はさらに、連続する平坦なストリップ形状に配置され、粘着前面７１、非粘着背面７２、２つの短い端部面７３および２つの長手方向の長い側面７４を備えるロールタイプに巻き取られる。粘着前面７１および非粘着背面７２の領域は、２つの短い端部面７３および２つの長手方向の長い側面７４より大きい。複数の接着される領域５１は、その両端部が長手方向の長い側面７４の組と同一平面にあり、均等な分離間隔でストリップ基板７０の長さに沿って横向きに配置され、その結果いくつかの接着されない領域４３がストリップ基板７０の粘着前面７１上に別個に配置される。
【００２７】
本発明の第５の好ましい実施形態である図２６を参照すると、ストリップ基板８０は、医療処置で必要とされ添加される医療用液体Ｍ用に水分子透過性であるが、細菌が浸透しないようにする閉鎖力の両方の効果を備えたナノメータ物質で作成される。
【００２８】
図２７および２８は、大きなサイズの絆創膏に適用される本発明の例示の実施形態を示す。並置された接着されない領域４４の一組のストリップは、絆創膏基板９０の粘着前面９１上で一組の側面９２と中央包帯ガーゼ領域９３の間にそれぞれ配置される（図２７に示される）、または２組の平行に並置された接着されない領域４４が、絆創膏基板９０の粘着前面９１上で２組の側面９２と中央包帯ガーゼ領域９３の間にそれぞれ配置される（図２８に示される）。接着剤のないくぼみ４１が、接着されない領域４４のいずれかのストリップと対応する側面９２の間で同じ面内の端部上に形成されることによって、大きなサイズの絆創膏は、皮膚表皮Ｓから容易に迅速に引き剥がすことができる。
【００２９】
いびき防止粘着包帯に適用される本発明の例示の実施形態である図２９から３４を参照されたい。図２９に示されるように、包帯基板１００は、粘着前面１０１、非粘着背面１０２および４つの側面１０３を備える平坦なストリップ形状を有する。粘着前面１０１および非粘着背面１０２の領域は、４つの側面１０３より大きい。接着されない領域２００のストリップは粘着前面１０１の中央に配置され、平行に並置された接着される領域３００の一組のストリップは、接着されない領域２００の両側にそれぞれ配置され、その結果、一組の接着剤のないくぼみ２０１が、接着される領域に隣接せず、包帯基板１００の側面１０３と同一平面で、接着されない領域２００の両端部に形成される。包帯基板１００の粘着前面１０１上に、接着されない領域２００の１つのストリップ、および接着される領域３００の２つのストリップがあることにより、粘着包帯は、上唇Ｌ１および下唇Ｌ２の周辺の皮膚表皮Ｓの外側に密接に貼り付くことができ（図３０、３１および３２に示される)、その結果、閉じられた上唇Ｌ１および下唇Ｌ２は、接着剤による粘着および刺激によって生じる不快感を感じることなく、接着されない領域２００の中に収容される。粘着包帯が引き剥がされる場合、接着剤の粘着によって上唇Ｌ１および下唇Ｌ２が剥がされる痛みを感じることなく、皮膚表皮Ｓから包帯基板１００を剥がす（図３３のａ、ｂ、ｃ、ｄ図、および図３４のａ、ｂ、ｃ、ｄ図に示される）目的を達成するために、持ち上げるための把持支点として、包帯基板１００上の両側の横方向の端部側面１０３のいずれかの接着剤のないくぼみ２０１に指を位置合わせするだけである。さらに言えば、これは、接着包帯を引き剥がす際の痛みをなくすだけでなく、接着包帯を容易にかつ迅速に引き剥がす両方の効果を有する。
【００３０】
図３５を参照すると、本発明はさらに、物品に使用される簡素に容易に剥がせる接着テープに適用される。ストリップ基板４００は、ロールタイプに巻き取られるように連続する平坦なストリップ形状であり、粘着前面４０１、非粘着背面４０２、２つの短い端部面４０３、および２つの長手方向の長い側面４０４を有する。粘着前面４０１および非粘着背面４０２の領域は共に、２つの短い端部面４０３および２つの長手方向の長い側面４０４のものより大きい。特徴は、接着されない領域４５の連続するストリップが長手方向の長い側面４０４の間に配置され、接着される領域５２の２つの連続するストリップが、粘着前面４０１上で接着されない領域４５の両側の長手方向側にそれぞれ並置され、一組の接着剤のないくぼみ４１がストリップ基板４００の両側に形成され、短い端部面４０３と同一平面になることである。
【００３１】
図３６および３７を参照すると、ストリップ基板４００が箱本体１に密接に貼り付きこれを密封するのに適用される際、この作用方法は従来の接着テープのものと同様である。接着テープが引き剥がされる場合、箱本体１から接着テープ全体を剥がす目的を達成するために持ち上げる把持支点として、ストリップ基板４００上の両側の短い端部面４０３の接着剤のないくぼみ４１のいずれかと指を位置合わせするだけである。
【００３２】
物品に使用される簡素で容易に剥がせる接着テープに適用される、本発明の第２の例示の実施形態である図３８および３９を参照されたい。ストリップ基板５００は、粘着前面５０１上に配置されたいくつかの接着される領域５３を備えるロールタイプに巻き取られるための連続する平坦なストリップ形状である。これらの接着される領域５３は、その両端部が長手方向の長い側面５０４の組と同一平面であり、均等な分離間隔でストリップ基板５００の長さに沿って横向きに配置され、その結果、いくつかの接着されない領域４６がストリップ基板５００の粘着前面５０１の上に別個に配置される。
【００３３】
物品に使用される簡素で容易に剥がせる接着テープに適用される、本発明の第３の例示の実施形態である図４０を参照されたい。ストリップ基板６００は、ロールタイプに巻き取られるように連続する平坦なストリップ形状であり、粘着前面６０１、非粘着背面６０２、２つの短い端部面６０３、および２つの長手方向の長い側面６０４を有する。粘着前面６０１および非粘着背面６０２の領域は共に、２つの短い端部面６０３および２つの長手方向の長い側面６０４のものより大きい。特徴は、接着される領域５４の連続するストリップが、両側の長手方向の長い側面６０４の間に配置され、接着されない領域４７の２つの連続するストリップが、接着される領域５４の両側の長手側に並置され、粘着前面６０１上で２つの長手方向の長い側面６０４とそれぞれ同一平面となることである。
【００３４】
結論として、本発明は実際に、本発明特許の本質的な要件に適合すべき複数の用途の実用性、および医療処置および産業の両方での改善を有する。したがって、法律および規則に従って、我々の本発明の出願を提出する。
【図面の簡単な説明】
【００３５】
【図１】口の上に近接して貼り付く方法の従来のいびき防止粘着ストリップの第１図である。
【図２】口の上に近接して貼り付く方法の従来のいびき防止粘着ストリップの第２図である。
【図３】剥がす作用方法の従来のいびき防止粘着ストリップの作用上の図である。
【図４】口の上に密接に貼り付く方法の従来のいびき防止粘着ストリップの第３図である。
【図５】剥がす作用方法の図４の従来のいびき防止粘着ストリップの作用上の図である。
【図６】生活および産業で使用される従来の密封接着テープの斜視図である。
【図７】生活および産業で使用される従来の密封接着テープの平面図である。
【図８−Ａ】生活および産業で使用される従来の密封接着テープの作用上の第１斜視図である。
【図８−Ｂ】生活および産業で使用される従来の密封接着テープの作用上の第２斜視図である。
【図９】本発明の第１の例示の実施形態の斜視図である。
【図１０】本発明の第１の例示の実施形態の適用の図である。
【図１１】線ｃ−ｃで切り取られた図１０に関する断面図である。
【図１２】従来の看護および医療用接着包帯の適用の図である。
【図１３】線ｄ−ｄで切り取られた図１２に関する断面図である。
【図１４】肘に密接に貼り付く方法の本発明の第１の例示の実施形態に関する図である。
【図１５】肘に密接に貼り付く方法の従来の看護および医療用接着包帯に関する図である。
【図１６】膝に密接に貼り付く方法の本発明の第１の例示の実施形態に関する図である。
【図１７】膝に密接に貼り付く方法の従来の看護および医療用接着包帯に関する図である。
【図１８】肘から剥がす作用方法の本発明の第１の例示の実施形態に関する作用上の図である。
【図１９】肘から剥がす作用方法の従来の看護および医療用接着包帯に関する作用上の図である。
【図２０】膝から剥がす作用方法の本発明の第１の例示の実施形態に関する作用上の図である。
【図２１】膝から剥がす作用方法の従来の看護および医療用接着包帯に関する作用上の図である。
【図２２】ロールタイプに巻き取る方法の本発明のストリップ基板に関する斜視図である。
【図２３】本発明の第２の例示の実施形態に関する斜視図である。
【図２４】本発明の第３の例示の実施形態に関する斜視図である。
【図２５】本発明の第４の例示の実施形態に関する斜視図である。
【図２６】本発明の第５の例示の実施形態に関する斜視図である。
【図２７】大きなサイズの絆創膏に適用された本発明の例示の実施形態に関する第１図である。
【図２８】大きなサイズの絆創膏に適用された本発明の例示の実施形態に関する第２図である。
【図２９】いびき防止粘着包帯に適用された本発明の例示の実施形態に関する斜視図である。
【図３０】口の上に密接に貼り付く方法でいびき防止粘着包帯に適用された本発明に関する第１図である。
【図３１】口の上に密接に貼り付く方法でいびき防止粘着包帯に適用された本発明に関する第２図である。
【図３２】口の上に密接に貼り付く方法でいびき防止粘着包帯に適用された本発明に関する第３図である。
【図３３】剥がす作用方法のいびき防止粘着包帯に適用された本発明に関する第１図である。
【図３４】剥がす作用方法のいびき防止粘着包帯に適用された本発明に関する第２図である。
【図３５】簡素で容易に接着テープを剥がす作用方法で物品に適用された本発明に関する斜視図である。
【図３６】物品に使用される簡素で容易に剥がせる接着テープに適用された本発明に関する作用上の第１斜視図である。
【図３７】物品に使用される簡素で容易に剥がせる接着テープに適用された発明に関する作用上の第２斜視図である。
【図３８】物品に使用される簡素で容易に剥がせる接着テープに適用された本発明の第２の例示的実施形態に関する斜視図である。
【図３９】物品に使用される簡素で容易に剥がせる接着テープに適用された本発明の第２の例示的実施形態に関する側面図である。
【図４０】物品に使用される簡素で容易に剥がせる接着テープに適用された本発明の第３の例示的実施形態に関する斜視図である。
【図１】
2009523492.tif 000003
【図２】
2009523492.tif 000004
【図３】
2009523492.tif 000005
【図４】
2009523492.tif 000006
【図５】
2009523492.tif 000007
【図６】
2009523492.tif 000008
【図７】
2009523492.tif 000009
【図８−ａ】
2009523492.tif 000010
【図８−ｂ】
2009523492.tif 000011
【図９】
2009523492.tif 000012
【図１０】
2009523492.tif 000013
【図１１】
2009523492.tif 000014
【図１２】
2009523492.tif 000015
【図１３】
2009523492.tif 000016
【図１４】
2009523492.tif 000017
【図１５】
2009523492.tif 000018
【図１６】
2009523492.tif 000019
【図１７】
2009523492.tif 000020
【図１８】
2009523492.tif 000021
【図１９】
2009523492.tif 000022
【図２０】
2009523492.tif 000023
【図２１】
2009523492.tif 000024
【図２２】
2009523492.tif 000025
【図２３】
2009523492.tif 000026
【図２４】
2009523492.tif 000027
【図２５】
2009523492.tif 000028
【図２６】
2009523492.tif 000029
【図２７】
2009523492.tif 000030
【図２８】
2009523492.tif 000031
【図２９】
2009523492.tif 000032
【図３０】
2009523492.tif 000033
【図３１】
2009523492.tif 000034
【図３２】
2009523492.tif 000035
【図３３】
2009523492.tif 000036
【図３４】
2009523492.tif 000037
【図３５】
2009523492.tif 000038
【図３６】
2009523492.tif 000039
【図３７】
2009523492.tif 000040
【図３８】
2009523492.tif 000041
【図３９】
2009523492.tif 000042
【図４０】
2009523492.tif 000043
【国際調査報告】
2009523492.tif 000044
2009523492.tif 000045